(57)【要約】【課題】被支持体を所望の位置に容易に取り付けることが可能な仕切ユニットを提供する。【解決手段】支柱に固定される支持部材と、前記支持部材を介して前記支柱に支持される被支持体と、を有し、前記支持部材は、前記被支持体が載置される載置部と、前記載置部より上に位置し前記支柱と見込み方向に間隔を空けて配置され前記被支持体の下部と係合する係合部と、を有し、前記被支持体の前記下部は、前記支柱に当接される当接部と、前記係合部と係合し、前記当接部との間隔が前記支柱と前記係合部との間隔以上の間隔である被係合部と、前記被係合部より下に位置し前記当接部との間隔が前記支柱と前記係合部との間隔未満の間隔である狭幅部と、を有すること。【選択図】図４
2018096067.tif 000002
【特許請求の範囲】
【請求項１】
支柱に固定される支持部材と、
前記支持部材を介して前記支柱に支持される被支持体と、
を有し、
前記支持部材は、前記被支持体が載置される載置部と、前記載置部より上に位置し前記支柱と見込み方向に間隔を空けて配置され前記被支持体の下部と係合する係合部と、
を有し、
前記被支持体の前記下部は、
前記支柱に当接される当接部と、
前記係合部と係合し、前記当接部との間隔が前記支柱と前記係合部との間隔以上の間隔である被係合部と、
前記被係合部より下に位置し前記当接部との間隔が前記支柱と前記係合部との間隔未満の間隔である狭幅部と、
を有することを特徴とする仕切ユニット。
【請求項２】
請求項１に記載の仕切ユニットであって、
前記下部は、前記狭幅部より上に、上方に向かって前記当接部との間隔が広くなる傾斜部または湾曲部を有することを特徴とする仕切ユニット。
【請求項３】
請求項１または請求項２に記載の仕切ユニットであって、
前記下部は、前記狭幅部より下に、当該狭幅部より突出して前記当接部との間隔が前記支柱と前記係合部との間隔より広くなる突起を有し、
前記支柱と前記係合部との間隔は、前記支持部材の撓み変形により前記当接部と前記突起との間隔より広がることを特徴とする仕切ユニット。
【発明の詳細な説明】
【技術分野】
【０００１】
本発明は、支持部材を介して支柱に支持される被支持体を有する仕切ユニットに関する。
【背景技術】
【０００２】
支持部材を介して支柱に支持される被支持体を有する仕切ユニットとしては、例えば、横桟材と縦桟材とを格子状に連結した被支持体としてのフェンス本体を、平行に立設した複数の支柱に仮止めした受け金具に架設し、フェンス本体の位置調整をした後に受け金具を固定するビス等を緊締することによりフェンス本体が強固に支柱に取り付けられるフェンスが知られている（例えば、特許文献１参照）。
【先行技術文献】
【特許文献】
【０００３】
【特許文献１】特開２００２−１９４９２６号公報
【発明の概要】
【発明が解決しようとする課題】
【０００４】
上記フェンスは、受け金具を固定するビス等を緊締することによりフェンス本体が強固に支柱に取り付けられるため、受け金具を緊締した後にはフェンス本体を位置調整することができない。このため、フェンス本体の位置を調整する場合には、受け金具を支柱に仮止めし、一旦フェンス本体を架設して位置調整をした後にビス等を緊締しなければならず、作業が繁雑である。また、位置調整後に受け金具を緊締した際に受け金具がビス等と連れ回りしてしまうと、フェンス本体の位置がずれる或いは、傾きが生じる虞があった。
【０００５】
本発明は、かかる課題に鑑みてなされたものであり、その目的とするところは、被支持体を所望の位置に容易に取り付けることが可能な仕切ユニットを提供することにある。
【課題を解決するための手段】
【０００６】
かかる目的を達成するために本発明の仕切ユニットは、支柱に固定される支持部材と、前記支持部材を介して前記支柱に支持される被支持体と、を有し、前記支持部材は、前記被支持体が載置される載置部と、前記載置部より上に位置し前記支柱と見込み方向に間隔を空けて配置され前記被支持体の下部と係合する係合部と、を有し、前記被支持体の前記下部は、前記支柱に当接される当接部と、前記係合部と係合し、前記当接部との間隔が前記支柱と前記係合部との間隔以上の間隔である被係合部と、前記被係合部より下に位置し前記当接部との間隔が前記支柱と前記係合部との間隔未満の間隔である狭幅部と、を有することを特徴とする仕切ユニットである。
【０００７】
このような仕切ユニットによれば、被支持体が載置部に載置されて係合部と係合する被支持体の被係合部は、支柱に当接される当接部との間隔が支柱と係合部との間隔以上の間隔である。このため、被支持体が載置部に載置されると被支持体の下部が支柱と係合部との間に挟持されるので、被支持体を載置部に載置することにより被支持体を強固に保持することが可能である。
【０００８】
また、被支持体の下部には、係合部より下に当接部との間隔が支柱と係合部との間隔未満の間隔である狭幅部が設けられているので、係合部と被係合部とが係合している状態から被支持体を持ち上げると、容易に係合部と被係合部との係合を解除することが可能である。このため、被支持体を持ち上げると容易に支柱との相対位置を変更して、被支持体の位置を調整することが可能である。このため、被支持体を所望の位置に容易に取り付けることが可能な仕切ユニットを提供することが可能である。
【０００９】
かかる仕切ユニットであって、前記下部は、前記狭幅部より上に、上方に向かって前記当接部との間隔が広くなる傾斜部または湾曲部を有することが望ましい。
このような仕切ユニットによれば、被支持体を係合部の上方から降下させて、被支持体の下部を支柱と係合部との間に挿入していくだけで、係合部が被支持体の下部に設けられた傾斜部または湾曲部と接触し、係合部が摺動しつつ被支持体が載置部に載置されていくので、被支持体の下部を容易に適切な位置に配置することが可能である。
【００１０】
かかる仕切ユニットであって、前記下部は、前記狭幅部より下に、当該狭幅部より突出して前記当接部との間隔が前記支柱と前記係合部との間隔より広くなる突起を有し、前記支柱と前記係合部との間隔は、前記支持部材の撓み変形により前記当接部と前記突起との間隔より広がることが望ましい。
【００１１】
このような仕切ユニットによれば、支持部材は、撓み変形により支柱と係合部との間隔が被支持体の当接部と突起との間隔より広がるので、被支持体を係合部の上方から降下させて、被支持体の下部を支柱と係合部との間に挿入していくと、支持部材が撓み変形する際に負荷が生じる。このため、被支持体を載置する際に、被支持体の下部が、適切な位置に配置されることを認識することが可能である。
【００１２】
また、被支持体は、狭幅部より下に、狭幅部より突出する突起を有しているので、係合部と被係合部とが係合している状態から被支持体を持ち上げたときに、被支持体の下端が係合部より上方に移動する前に係合部と突起とが接触する。このため、被支持体を持ち上げすぎて被支持体の下部が支柱と係合部との間から抜け出ることを防止することが可能である。
【発明の効果】
【００１３】
本発明によれば、被支持体を所望の位置に容易に取り付けることが可能な仕切ユニットを提供することが可能である。
【図面の簡単な説明】
【００１４】
【図１】本実施形態に係るフェンスを示す斜視図である。
【図２】本実施形態に係るフェンスを示す縦断面図である。
【図３】図２におけるＡ部の拡大図である。
【図４】フェンスの施工方法を示す図である。
【図５】下胴縁の変形例を示す縦断面図である。
【発明を実施するための形態】
【００１５】
以下、本発明に係る仕切ユニットの一実施形態としてフェンスを例に挙げ図面を参照して説明する。
図１、図２に示すように、本実施形態の仕切ユニットとしてのフェンス１は、例えば、空間を仕切るパネルやラチスなどの仕切材２１と、仕切材２１の上縁に設けられている上胴縁２２と、仕切材２１の下縁に設けられている下胴縁２３と、を有する被支持体としてのフェンス本体２、地面に立設されフェンス本体２の一方の面側に配置される支柱３、支柱３に固定されてフェンス本体２を支持する支持部材４、及び、支柱３の上端部と上胴縁２２とを連結する連結部材５を有している。
【００１６】
以下の説明においては、フェンス１が設置されている状態で、上下となる方向を上下方向、左右となる方向を幅方向、仕切材２１がなす面と直交する方向を面外方向または見込み方向として示す。フェンス１の各部位であっても、また、フェンス１を構成する各部材については単体の状態であっても、フェンス１が設置されている状態にて上下方向、幅方向、面外方向または見込み方向にて方向を特定して説明する。また、フェンス１において、仕切材２１に対して支柱３が取り付けられている側を内側、反対側を外側として示す。
【００１７】
本実施形態の仕切材２１は、パネル状をなし、上縁には、左右方向に沿って仕切材２１の幅の全長にわたって上胴縁２２が固定されており、下縁には、左右方向に沿って仕切材２１の幅の全長にわたって下胴縁２３が固定されてフェンス本体２をなしている。すなわち、下胴縁２３がフェンス本体２の下部をなしている。
【００１８】
上胴縁２２は、押出成形材であり、断面形状がほぼ矩形状をなす中空の上胴縁本体２２ａと、上胴縁本体２２ａの下面から垂設されて仕切材２１が取り付けられる上固定部２２ｂと、を有している。ほぼ矩形状の上胴縁本体２２ａを形成する一方の側壁は、鉛直な平面をなしており、支柱３の側面３ａに当接される上支柱当接面２２ｃとなる。
【００１９】
下胴縁２３は、押出成形材であり、断面形状がほぼ矩形状をなす中空の下胴縁本体２３ａと、下胴縁本体２３ａの上面から立設されて仕切材２１が取り付けられる下固定部２３ｂと、を有している。ほぼ矩形状の下胴縁本体２３ａを形成する一方の側壁は、鉛直な平面をなしており、支柱３の側面３ａに当接される下支柱当接面２３ｃとなる。ここで、下支柱当接面２３ｃが、フェンス本体２の下部をなす下胴縁２３において支柱３に当接される当接部に相当する。
【００２０】
下胴縁本体２３ａの下面２３ｄには、見込み方向における中央に位置させて、下方に向かって開放され上方に窪む溝部２３ｅが、フェンス本体２の幅方向に沿って設けられている。
図３に示すように、溝部２３ｅには、開放されている側の端、すなわち、下端にそれぞれ見込み方向における中央側に向かって突出する突起２３ｆが設けられている。突起２３ｆには、下側が見込み方向における中央に向かって高くなる傾斜部２３ｇが設けられている。
【００２１】
突起２３ｆが設けられている溝部２３ｅの下端と、溝部２３ｅにおいて平坦な底をなす上面部２３ｈとを繋ぐ溝側面部は、下側にて鉛直な面を形成する下壁部２３ｉと、下壁部２３ｉの上端と上面部２３ｈとを繋ぎ、上方に向かって、下支柱当接面２３ｃとの間隔が広くなる傾斜部でなる被係合部としての傾斜壁部２３ｊと、を有している。このため、下胴縁２３は、下支柱当接面２３ｃと突起２３ｆの先端との間隔Ｌ１、及び、下支柱当接面２３ｃと傾斜壁部２３ｊの上端との間隔Ｌ２が、下支柱当接面２３ｃと下壁部２３ｉとの間隔Ｌ３より広く形成されている。すなわち、下壁部２３ｉが、被係合部としての傾斜壁部２３ｊより下に位置し下支柱当接面２３ｃとの間隔が支柱３の側面３ａと係合部４ｄの先端との間隔Ｌ５未満の間隔である狭幅部に相当する。
【００２２】
支柱３は、断面が矩形状をなす中空部材であり、下端側が地中に打ち込まれて立設される。本実施形態の場合には、左右方向に間隔を空けて立設されている２本の支柱３にフェンス本体２が支持されている。断面が矩形状をなす支柱３の一つの側面３ａに、上胴縁２２の上支柱当接面２２ｃと、下胴縁２３の下支柱当接面２３ｃとが当接され、この側面３ａに固定される支持部材４によりフェンス本体２が支持される。
【００２３】
支持部材４は、支柱３の幅とほぼ同じ幅を有するステンレス製の部材であり、支柱３の鉛直な側面３ａにビス止めされる固定板部４ａと、固定板部４ａの上縁から外側に向かって延出されて水平面をなしてフェンス本体２が載置される載置部４ｂと、載置部４ｂの外側の端から上方に延出された上方延出部４ｃと、上方延出部４ｃの上端から内側に向かって延出され、下胴縁２３と係合する係合部４ｄと、を有している。また、支持部材４には、上方延出部４ｃから載置部４ｂ及び固定板部４ａにわたる補強リブ４ｅが形成されている。
【００２４】
固定板部４ａには、支柱３にビス止めされたときに支柱３と対向する対向面４ｆに、内側に突出させて支柱３に設けられた孔に挿入され、支持部材４の位置決め及び回り止めとして機能するダボ４ｇが設けられている。
【００２５】
支持部材４の、対向面４ｆと上方延出部４ｃの内側の面との間隔Ｌ４は、下胴縁２３の下支柱当接面２３ｃと突起２３ｆの先端との間隔Ｌ１より広く、対向面４ｆと係合部４ｄの先端との間隔Ｌ５は、下支柱当接面２３ｃと突起２３ｆの先端との間隔Ｌ１より狭く形成されている。また、対向面４ｆと係合部４ｄの先端との間隔Ｌ５は、下支柱当接面２３ｃと傾斜壁部２３ｊの上端との間隔Ｌ２より狭く、かつ、下支柱当接面２３ｃと下壁部２３ｉとの間隔Ｌ３より広く形成されている。また、係合部４ｄの先端は、上側が面取りされた面取り部４ｈを有している。
【００２６】
連結部材５は、支柱３の幅とほぼ同じ幅を有し、上胴縁本体２２ａの外側面２２ｄと対向する外側壁部５ａと、外側壁部５ａを繋がって上胴縁本体２２ａと支柱３との上に架け渡される掛け渡し部５ｂとを有し、Ｌ字状をなす部材である。連結部材５は、外側壁部５ａが上胴縁２２の外側面２２ｄと対向するように、上胴縁本体２２ａ及び支柱３上に被せるように配置され、連結部材５によりフェンス本体２を支柱３側に引き寄せた状態で掛け渡し部５ｂが支柱３にビス止めされることによりフェンス本体２の上部が支柱３に保持される。
【００２７】
フェンス本体２を支柱３に取り付ける場合には、各支柱３に支持部材４を予め取り付けておくとともに、仕切材２１には、上胴縁２２と下胴縁２３とを予め取り付けてフェンス本体２を形成しておく。
【００２８】
次に、図４に示すように、フェンス本体２をほぼ鉛直に立てた状態を維持しつつ、下胴縁２３の下支柱当接面２３ｃを、支柱３において支持部材４が固定されている側面３ａの、支持部材４より上側に当接させる。
【００２９】
その後、フェンス本体２を降下させて、下胴縁２３において溝部２３ｅより支柱３側に位置する下面２３ｄを支持部材４の載置部４ｂに載置する。このとき、下胴縁２３の下端が、支持部材４の係合部４ｄを通過する際に、下胴縁２３に設けられている突起２３ｆと係合部４ｄとが接触する。より具体的には、突起２３ｆの下側の傾斜部２３ｇと係合部４ｄの先端の面取り部４ｈとが接触する。そして、突起２３ｆの位置が下がることにより、係合部４ｄが突起２３ｆにより支柱３から離れる方向に押圧され、支柱３と係合部４ｄの先端との間隔が開く方向に支持部材４が撓み変形することにより、突起２３ｆが係合部４ｄの位置を通過する。突起２３ｆが係合部４ｄの位置を通過したときには、係合部４ｄの先端は、下壁部２３ｉまたは傾斜壁部２３ｊと、見込み方向において間隔を空けて対向している。
【００３０】
さらに、フェンス本体２を降下させると、係合部４ｄは傾斜壁部２３ｊと接触し、係合部４ｄの先端が傾斜壁部２３ｊを摺動しつつフェンス本体２が降下して下面２３ｄが載置部４ｂに載置される。このとき、係合部４ｄにより傾斜壁部２３ｊが支柱３側に押圧されつつ係合された状態となる。この状態では、フェンス本体２は支柱３に押圧されて移動不能となる。
【００３１】
フェンス本体２の下面２３ｄを載置部４ｂに載置した後に、フェンス本体２の左右方向の位置を調整する場合には、フェンス本体２を持ち上げて係合部４ｄとの係合を解除し、係合部４ｄが下壁部２３ｉまたは傾斜壁部２３ｊと、見込み方向において間隔を空けて対向する位置にフェンス本体２を移動した後に、左右方向に移動させて位置決めし、再び下面２３ｄを載置部４ｂ上に載置する。
【００３２】
最後に、位置決めされたフェンス本体２の上胴縁２２に連結部材５を被せるように配置するとともに、上胴縁２２を支柱３側に引き寄せた状態で、連結部材５の掛け渡し部５ｂを支柱３の上面にビス止めしてフェンス本体２を支柱３に固定して、フェンス１が完成する。
【００３３】
本実施形態のフェンス１によれば、フェンス本体２が載置部４ｂに載置されて係合部４ｄと係合するフェンス本体２の下胴縁２３が有する傾斜壁部２３ｊは、支柱３の側面３ａに当接される下支柱当接面２３ｃとの間隔Ｌ１が支柱３と係合部４ｄとの間隔Ｌ５以上の間隔である。このため、フェンス本体２が載置部４ｂに載置されるとフェンス本体２の下部が支柱３と係合部４ｄとの間に挟持されるので、フェンス本体２を載置部４ｂに載置することによりフェンス本体２を強固に保持することが可能である。
【００３４】
また、フェンス本体２の下部には、係合部４ｄより下に下支柱当接面２３ｃとの間隔が支柱３の側面３ａと係合部４ｄの先端との間隔Ｌ５未満の間隔である下壁部２３ｉが設けられているので、係合部４ｄと傾斜壁部２３ｊとが係合している状態からフェンス本体２を持ち上げると、係合部４ｄと傾斜壁部２３ｊとの係合を容易に解除することが可能である。このため、フェンス本体２を持ち上げると、フェンス本体２と支柱３との相対位置を容易に変更することができるので、フェンス本体２の位置を容易に調整することが可能である。このため、フェンス本体２を所望の位置に容易に取り付けることが可能なフェンス１を提供する
【００３５】
また、下胴縁２３が、下壁部２３ｉより上に、上方に向かって下支柱当接面２３ｃとの間隔が広くなる傾斜を有する傾斜壁部２３ｊを有しているので、フェンス本体２を係合部４ｄの上方から降下させて、フェンス本体２の下部を支柱３の側面３ａと係合部４ｄの先端との間に挿入していくだけで、係合部４ｄがフェンス本体２の下胴縁２３に設けられた傾斜壁部２３ｊと接触し、係合部４ｄの先端が摺動しつつフェンス本体２が載置部４ｂに載置されていくので、係合部４ｄにより下胴縁２３を案内させてフェンス本体２の下部を容易に適切な位置に配置することが可能である。本実施形態においては、係合部４ｄと係合する被係合部を、傾斜を有する傾斜壁部としたが、湾曲部を有する構成としても構わない。
【００３６】
また、支持部材４は、撓み変形により支柱３の側面３ａと係合部４ｄの先端との間隔Ｌ５がフェンス本体２の下支柱当接面２３ｃと突起２３ｆの先端との間隔Ｌ１より広がるので、フェンス本体２を係合部４ｄの上方から降下させて、フェンス本体２の下部を支柱３の側面３ａと係合部４ｄの先端との間に挿入していくと、支持部材４が撓み変形する際に負荷が生じる。このため、フェンス本体２を載置する際に、フェンス本体２の下部が、適切な位置に配置されることを認識することが可能である。
【００３７】
また、フェンス本体２は、下壁部２３ｉより下に、下壁部２３ｉより突出する突起２３ｆを有しているので、係合部４ｄと傾斜壁部２３ｊとが係合している状態からフェンス本体２を持ち上げたときに、フェンス本体２の下端が係合部４ｄより上方に移動する前に係合部４ｄと突起２３ｆとが接触する。このため、フェンス本体２を持ち上げすぎてフェンス本体２の下部が支柱３の側面３ａと係合部４ｄの先端との間から抜け出ることを防止することが可能である。このため、施工性に優れたフェンス１を提供することが可能である。
【００３８】
上記実施形態においては、フェンス本体２の下端をなす下胴縁２３に突起２３ｆが設けられている例について説明したが、図５に示すように、突起設けられていなくともよい。この場合であっても、フェンス本体２を係合部４ｄの上方から降下させて、フェンス本体２の下部を支柱３の側面３ａと係合部４ｄの先端との間に挿入していくだけで、係合部４ｄの先端が傾斜壁部２３ｊを摺動しることにより下胴縁２３を案内させてフェンス本体２の下部を容易に適切な位置に配置することは可能であり、係合部４ｄにより傾斜壁部２３ｊを支柱３側に押圧しつつ係合することは可能である。また、フェンス本体２を持ち上げて係合部４ｄと傾斜壁部２３ｊとの係合を解除して、フェンス本体２と支柱３との相対位置を容易に調整することも可能である。
【００３９】
上記実施形態においては、仕切ユニットとして、仕切材２１を有する被支持体としてのフェンス本体２を有するフェンス１を例に挙げて説明したが、仕切ユニットはフェンスに限らず、例えば、バルコニーに設けられるパネル材、目隠し材などを備え、支持部材を介して支柱に支持される被支持体を有していれば構わない。
【００４０】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４１】
１  フェンス、２  フェンス本体、３  支柱、４  支持部材、４ｂ  載置部、
４ｄ  係合部、２３  下胴縁、２３ｃ  下支柱当接面、２３ｆ  突起、２３ｉ  下壁部、
２３ｊ  傾斜壁部
【図１】
2018096067.tif 000003
【図２】
2018096067.tif 000004
【図３】
2018096067.tif 000005
【図４】
2018096067.tif 000006
【図５】
2018096067.tif 000007